(57)【要約】      （修正有）【課題】敷設材が取り出されて空になった袋を有効に再利用することができ、しかも、敷設材を容易に均一に敷設することができる敷設材入り袋を提供する。【解決手段】地面に敷かれて表面に敷設材Ｓが敷設される防草シート１０によって製袋された収納袋１Ａと、収納袋１Ａに収納された敷設材Ｓと、を備え、収納袋１Ａは、敷設材Ｓが取り出された後、平面状に展開された展開状態で防草シート１０として使用される。展開状態の防草シート１０は、収納袋１Ａに収納された敷設材Ｓが過不足なく均一に敷設されたときに、敷設材Ｓの厚さが所定の厚さになる大きさである。【選択図】図１
0003227083.tif 000002
【実用新案登録請求の範囲】
【請求項１】
地面に敷かれて表面に敷設材が敷設される防草シートによって製袋された収納袋と、
前記収納袋に収納された前記敷設材と、を備えた、
ことを特徴とする敷設材入り袋。
【請求項２】
前記収納袋は、前記敷設材が取り出された後、平面状に展開された展開状態で前記防草シートとして使用される、
ことを特徴とする請求項１に記載の敷設材入り袋。
【請求項３】
展開状態の前記防草シートは、前記収納袋に収納された前記敷設材が過不足なく均一に敷設されたときに、前記敷設材の厚さが所定の厚さになる大きさである、
ことを特徴とする請求項２に記載の敷設材入り袋。
【請求項４】
展開状態の前記防草シートは、略長方形状又は略正方形状である、
ことを特徴とする請求項１ないし３のいずれか１項に記載の敷設材入り袋。
【請求項５】
前記収納袋は、展開状態において略長方形状又は略正方形状の前記防草シートを略長方形状又は略正方形状に２つ折りし、折り部以外の３辺を縫合することによって製袋されている、
ことを特徴とする請求項４に記載の敷設材入り袋。
【考案の詳細な説明】
【技術分野】
【０００１】
本考案は、砂利、ウッドチップ等の敷設材が収納された敷設材入り袋に関する。
【背景技術】
【０００２】
施工場所（施工対象箇所）となる庭、通路、車庫等の地面に砂利を敷設する場合、砂利を土の上に直接敷設すると、砂利の間から雑草が生えてくることがある。このような雑草を防止するため、防草シート（砂利下シート）が使用される（例えば、特許文献１参照）。
【０００３】
作業者（ユーザ）は、施工場所への砂利の敷設に際し、まず、防草シートと砂利を準備する。
【０００４】
防草シートや砂利は、例えば、ホームセンターで入手できる。防草シートはロール状に巻かれた状態で販売され、また、砂利は所定の量だけビニール袋等の収納袋に袋詰めされて砂利袋として販売されている。作業者は、施工場所の面積に応じて、必要な長さ（面積）の防草シートと、必要な数の砂利袋を購入する。
【０００５】
次に作業者は、施工場所の地面全体に防草シートを敷き詰める。つづいて、砂利袋を破いて中から砂利を取り出し、敷き詰められた防草シートの全面にわたって敷設する。この際、砂利は、防草シートの表面全体にわたって過不足なく均一な厚さ（深さ）になるように敷設する。
【先行技術文献】
【特許文献】
【０００６】
【特許文献１】特開２００２−１６７７２４号公報
【考案の概要】
【考案が解決しようとする課題】
【０００７】
しかしながら、従来技術によると、砂利が取り出されて空になった収納袋（砂利袋）は、省資源に資することなく、廃棄されて無駄になるという問題があった。
【０００８】
また、砂利は、施工場所の地面全体に防草シートを敷き詰めた後に、その表面全体に敷設するため、表面全体にわたって過不足なく均一な厚さに敷設するのが難しいという問題があった。
【０００９】
なお、以上の問題は、防草シート上に敷設する敷設材が砂利である場合に限らず、敷設材として、砂、ウッドチップ、バークチップ等を使用する場合にも同様に発生する。
【００１０】
本考案は、上述した事情に鑑みてなされたものであり、敷設材が取り出されて空になった収納袋を有効に再利用することができ、しかも、防草シートの表面全体に敷設材を過不足なく均一な厚さに容易に敷設することができる敷設材入り袋を提供することを目的とする。
【課題を解決するための手段】
【００１１】
請求項１に係る考案は、敷設材入り袋において、地面に敷かれて表面に敷設材が敷設される防草シートによって製袋された収納袋と、前記収納袋に収納された前記敷設材と、を備えた、ことを特徴とする。
【００１２】
請求項２に係る考案は、請求項１に係る敷設材入り袋において、前記収納袋は、前記敷設材が取り出された後、平面状に展開された展開状態で前記防草シートとして使用される、ことを特徴とする。
【００１３】
請求項３に係る考案は、請求項２に係る敷設材入り袋において、展開状態の前記防草シートは、前記収納袋に収納された前記敷設材が過不足なく均一に敷設されたときに、前記敷設材の厚さが所定の厚さになる大きさである、ことを特徴とする。
【００１４】
請求項４に係る考案は、請求項１ないし３のいずれか１項に係る敷設材入り袋において、展開状態の前記防草シートは、略長方形状又は略正方形状である、ことを特徴とする。
【００１５】
請求項５に係る考案は、請求項４に係る敷設材入り袋において、前記収納袋は、展開状態において略長方形状又は略正方形状の前記防草シートを略長方形状又は略正方形状に２つ折りし、折り部以外の３辺を縫合することによって製袋されている、ことを特徴とする。
【考案の効果】
【００１６】
請求項１の考案によれば、敷設材入り袋は、地面に敷かれて表面に敷設材が敷設される防草シートによって製袋された収納袋と、収納袋に収納された敷設材とを備えている。
【００１７】
これにより、収納袋は、敷設材（例えば、砂利、砂、ウッドチップ、バークチップ）を取り出した後、廃棄することなく、防草シートとして利用することができる。
【００１８】
さらに、施工場所に敷き詰めた防草シートの表面全体に多量の敷設材を過不足なく均一な厚さに敷設する場合と異なり、１枚の防草シートに対して、収納袋に収納されていた敷設材を敷設するため、過不足なく均一な厚さに敷設することが容易である。
【００１９】
そして、この１枚の防草シートを敷き、その表面全体に１袋分の敷設材を過不足なく均一な厚さに敷設する作業を、複数の敷設材入り袋に対して繰り返すことにより、敷設材を施工場所全体に過不足なく均一な厚さで敷設することができる。
【００２０】
請求項２の考案によれば、収納袋は、敷設材が取り出された後、平面状に展開された展開状態で防草シートとして使用される。
【００２１】
これにより、敷設材を取り出した後の収納袋をそのまま防草シートとして使用した場合には、防草シートは例えば２重になってしまうが、これを展開状態で使用することにより、略２倍の面積を確保して有効に使用することができる。
【００２２】
請求項３の考案によれば、展開状態の防草シートは、収納袋に収納された敷設材が過不足なく均一に敷設されたときに、敷設材の厚さが所定の厚さになる大きさであるので、敷設後の敷設材は、防草シートの表面全体に過不足なく均一な厚さで敷設されるばかりでなく、表面全体を所定（所望）の厚さにすることができる。
【００２３】
請求項４の考案によれば、展開状態の防草シートは、略長方形状又は略正方形状であるので、隣接する防草シート間に不要な間隙ができにくい。
【００２４】
請求項５の考案によれば、収納袋は、展開状態において略長方形状又は略正方形状の防草シートを略長方形状又は略正方形状に２つ折りし、折り部以外の３辺を縫合することによって製袋されている。
【００２５】
これにより、先に敷設材を敷設した防草シートに対して、次の防草シートを、敷設材を取り出す前の収納袋の状態で隣接させて位置決めし、敷設材を特に移動させることなく縫合を解除（切除）して簡単に開封することができる。
【図面の簡単な説明】
【００２６】
【図１】図１〜図３は実施形態１の敷設材入り袋１を説明する図であり、図１は敷設材入り袋１の全体斜視図である。
【図２】（Ａ）は展開された防草シート１０の平面図であり、（Ｂ）は２つ折りされて縫合された防草シート１０の平面図である。
【図３】（Ａ）〜（Ｈ）は砂利（敷設材）Ｓの敷設方法を説明する図である。
【図４】（Ａ）〜（Ｇ）は実施形態２，３，４の敷設材入り袋２，３，４を説明する図である。
【図５】（Ａ）〜（Ｄ）は実施形態２，３，４の防草シート２０，３０，４０に砂利Ｓを敷設した状態を説明する図である。
【考案を実施するための形態】
【００２７】
以下、本考案を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【００２８】
＜実施形態１＞
図１〜図３を参照して本考案を適用した実施形態１に係る敷設材入り袋１について説明する。
【００２９】
ここで、図１は、敷設材入り袋１の全体斜視図である。また、図２（Ａ）は展開された防草シート１０の平面図であり、（Ｂ）は２つ折りされて縫合された防草シート１０の平面図である。また、図３（Ａ）〜（Ｈ）は砂利（敷設材）Ｓの敷設方法を説明する図である。
【００３０】
敷設材入り袋１は、収納袋１Ａ、及びこの収納袋１Ａに収納された敷設材としての砂利Ｓを備えている。
【００３１】
このうち収納袋１Ａは、防草シート１０を製袋することによって形成されている。
【００３２】
防草シート１０は、防草シートとしての一般的な機能、例えば、雑草の発生を防止し、飛来した種子が発芽しても簡単に引き抜ける、雨・水を通す、砂利の埋没を防止する等の機能を満たすものであれば、材質的には特に制約はない。ただし、本考案においては、防草シート１０は製袋されて砂利Ｓ等を収納し、さらに収納した状態で運搬に供される等を考慮すると、強度的に強いものが好ましい。防草シート１０としては、一例を挙げると、材質がポリプロピレンで、厚さが０．４５ｍｍ程度のものを使用することができる。
【００３３】
防草シート１０は、図２（Ａ）に示すように、平面状に展開された際の形状が略長方形状又は略正方形状（例えば、５５ｃｍ四方の正方形）となるように形成されている。防草シート１０は、図２（Ａ），（Ｂ）に示すように、中心Ｃで２つ折りにして、折り部１１を除く、３つの辺１２，１３，１４に沿って糸又は紐で縫合して縫合部１２ａ，１３ａ，１４ａを設けることで、収納袋１Ａを構成している。
【００３４】
実際の製袋作業においては、防草シート１０を中心Ｃで２折りして折り部１１を形成する。その後、折り部１１側から辺１４に沿って縫合を開始して縫合部１４ａを形成し、辺１３近傍で「Ｌ」字形に屈曲させて辺１３に沿って縫合部１３ａを図２（Ｂ）中の下から上に向かって形成する。この状態では、後に縫合部１２ａを形成する辺１２が開口可能である。この開口部から砂利Ｓの収納（充填）を開始し、所定量の砂利Ｓ（例えば、１４ｋｇ程度）の収納が終了した後、辺１２に沿って縫合して縫合部１２ａを形成する。なお、縫合部１２ａについては、両端から適度に糸又は紐を突出させることにより、縫合が解けることを防止している。
【００３５】
ここで、防草シート１０は、展開状態において、収納袋１Ａに収納された砂利Ｓが過不足なく均一に敷設されたときに、砂利Ｓの厚さが所定の厚さになる大きさに設定されている。
【００３６】
以上で、砂利Ｓが収納された状態の収納袋１Ａ、つまり敷設材入り袋１を造ることができる。
【００３７】
次に、図３（Ａ）〜（Ｈ）を参照して、上述の敷設材入り袋１を使用した、砂利（敷設材）Ｓの敷設方法について説明する。なお、防草シート１０は、展開状態において略正方形状であるものとして説明する。
【００３８】
防草シート１０によって製袋された収納袋１Ａに収納された砂利Ｓの敷設方法は、
（１）砂利Ｓが収納された収納袋１Ａを地面Ｇに置く収納袋載置工程（図３（Ａ））、
（２）砂利Ｓを載せたままで収納袋１Ａを平面状に展開して防草シート１０とする防草シート展開工程（図３（Ｂ）〜（Ｆ）），
（３）地面Ｇに敷かれた展開状態の防草シート１０の表面全体に砂利Ｓを均一な厚さで敷設する砂利敷設工程（図３（Ｇ）〜（Ｈ））、
を有する。
【００３９】
以下、さらに、詳述する。
【００４０】
（１）−１
施工場所の地面Ｇの一角に、砂利Ｓが収納された収納袋１Ａ（敷設材入り袋１）を置く（図３（Ａ））。
【００４１】
（２）−１
一方の手ＨＬで辺１４を掴み、他方の手に持ったカッターＣｕによって縫合部１４ａの糸又は紐を解除（切除）する（図３（Ｂ））。
【００４２】
（２）−２
辺１４を開口する（図３（Ｃ））。
【００４３】
（２）−３
辺１３を開口する（図３（Ｄ），（Ｅ））。
【００４４】
（２）−４
辺１２の縫合部１２ａを解除（切除）して、辺１２を開口し、防草シート１０を平面状に展開する（図３（Ｆ））。
【００４５】
なお、上述の（２）−１〜（２）−４の防草シート展開工程においては、砂利Ｓは、防草シート１０に載せたままでよく、積極的に移動させる必要はない（自然な動きに任せる）。
【００４６】
（３）−１
防草シート１０から食み出した砂利を防草シート１０に載せつつ、防草シート１０上の均して、表面全体に過不足なく行きわたるようにして全体の厚さが均一になるようにする（図３（Ｇ），（Ｈ））。
【００４７】
以上の（１）−１〜（３）−１により、展開状態が略正方形状の１枚の防草シート１０に対して、砂利Ｓを均一に敷設することができる。
【００４８】
なお、１枚の防草シート１０に対する砂利Ｓの敷設作業は、広い面積の場合とは異なり、砂利Ｓを全体に満遍なく、かつ同じ厚さ（深さ）に比較的容易に敷設することができる。
【００４９】
次の敷設材入り袋１は、地面Ｇに置く際に、その辺１３が、先の防草シート１０の４つ辺のいずれかに隣接するように置く。これにより、後に、次の敷設材入り袋１の防草シート１０を展開状態にした際に、この防草シート１０が先の防草シート１０に対して、不要な間隙なく隣接した状態で位置決めされることになる。
【００５０】
次の敷設材入り袋１に対して、上述の（１）−１〜（３）−１を行う。
【００５１】
これにより、隣接する２枚の防草シート１０の表面全体に均一な厚さで砂利Ｓの敷設を行うことができる。
【００５２】
以下同様の敷設作業を、施工場所の全体に対して繰り返す。
【００５３】
以上により、比較的容易に、施工場所の全体にわたって、防草シート１０を敷き、その表面全体に砂利Ｓを過不足なく、かつ均一な厚さに敷設することができる。
【００５４】
なお、以上では、展開状態の防草シート１０の形状が、略正方形状である場合を例に説明したが、必ずしもこれに限定する必要はない。例えば、略長方形状であってもよい。
【００５５】
このように、展開状態において略正方形状又は略長方形状となる防草シート１０を使用することにより、隣接する２枚の防草シート１０の間に不要な間隙が形成されてしまうことを容易に防止することができる。
【００５６】
なお、展開状態の防草シート１０が略正方形状の場合は、略長方形状の場合とは異なり、先の防草シート１０の４つの辺のうちの任意の辺に対して、次の防草シート１０を隣接させることが可能であるので、その分、作業性が向上する。つまり、防草シート１０は、展開状態において略長方形状又は略正方形状となることが好ましく、さらに、略正方形状とすることが一層好ましい。
【００５７】
上述では、敷設材が砂利Ｓである場合について説明したが、敷設材としては、他に、砂、ウッドチップ、バークチップ等があげられる。
【００５８】
また、上述では、防草シート１０を糸又は紐で縫合することによって、収納袋１Ａを製袋する場合を例に説明したが、これに代えて、接着剤を使用したり、熱による溶融接着を利用したりして製袋することも可能である。これらの場合には、例えば、カッター等による切除によって収納袋を防草シートに展開することができる。
【００５９】
また、上述では、製袋前の防草シート１０の形状と、展開後の防草シート１０の形状とが同じになる場合を例に説明したが、必ずしも同じになる必要はない。
【００６０】
以下、上述の敷設材入り袋１の作用、効果について整理する。
【００６１】
・敷設材入り袋１は、地面Ｇに敷かれて表面に砂利（敷設材）Ｓが敷設される防草シート１０によって製袋された収納袋１Ａと、収納袋１Ａに収納された砂利Ｓとを備えているので、収納袋は、砂利Ｓを取り出した後、廃棄することなく、防草シート１０として利用することができる。
【００６２】
さらに、施工場所に敷き詰めた防草シート１０の表面全体に多量の砂利Ｓを過不足なく均一な厚さに敷設する場合と異なり、１枚の防草シート１０に対して、収納袋１Ａに収納されていた砂利Ｓを敷設するため、過不足なく均一な厚さに敷設することが容易である。
【００６３】
そして、この１枚の防草シート１０を敷き、その表面全体に１袋分の砂利Ｓを過不足なく均一な厚さに敷設する作業を、複数の敷設材入り袋１に対して繰り返すことにより、砂利Ｓを施工場所全体に過不足なく均一な厚さで敷設することができる。
【００６４】
・収納袋１Ａは、砂利Ｓが取り出された後、平面状に展開された展開状態で防草シート１０として使用されるので、砂利Ｓを取り出した後の収納袋１Ａをそのまま防草シート１０として使用した場合には、防草シートは例えば２重になってしまうところ、これを展開状態で使用することにより、略２倍の面積を確保して有効に使用することができる。
【００６５】
・展開状態の防草シート１０は、収納袋１Ａに収納された砂利Ｓが過不足なく均一に敷設されたときに、砂利Ｓの厚さが所定の厚さになる大きさであるので、敷設後の砂利Ｓは、防草シート１０の表面全体に過不足なく均一な厚さで敷設されるばかりでなく、表面全体を所定（所望）の厚さにすることができる。
【００６６】
・展開状態の防草シート１０は、略長方形状又は略正方形状であるので、隣接する防草シート間に不要な間隙ができにくい。
【００６７】
・収納袋１Ａは、展開状態において略長方形状又は略正方形状の防草シートを略長方形状又は略正方形状に２つ折りし、折り部以外の３辺を縫合することによって製袋されている。
【００６８】
これにより、先に砂利Ｓを敷設した防草シート１０に対して、次の防草シート１０を、砂利Ｓを取り出す前の収納袋１Ａの状態で隣接させて位置決めし、砂利Ｓを特に移動させることなく縫合を解除（切除）して簡単に開封することができる。
【００６９】
・砂利Ｓの敷設方法は、砂利Ｓが収納された収納袋１Ａを地面に置く収納袋載置工程と、砂利Ｓを載せたままで収納袋１Ａを平面状に展開して防草シート１０として地面Ｇに敷く防草シート展開工程と、地面Ｇに敷かれた展開状態の防草シート１０の表面全体に砂利Ｓを均一な厚さで敷設する敷設材敷設工程とを有している。
【００７０】
これにより、１袋分の展開状態の防草シート１０の表面全体に、１袋分の砂利Ｓを過不足なく均一な厚さに容易に敷設することができる。
【００７１】
＜実施形態２，３，４＞
図４、図５を参照して、実施形態２，３，４の敷設材入り袋２，３，４の種々のパターンについて説明する。
【００７２】
まず、形状については、敷設材入り袋２，３，４は、図４（Ａ）に示す平面図での形状が、この順に、略正方形状、略正方形状、角丸の略正方形状となっている。また、敷設材入り袋２には、「まち」がないが、敷設材入り袋３，４は、「まち」を有している。
【００７３】
図４（Ａ）に示す敷設材入り袋２，３，４は、糸又は紐を使用した縫合によって製袋されたものではなく、熱接着等によって製袋されていて、カッター等によって切る箇所には切取線ａ２，ａ３，ａ４の表記が付されている。
【００７４】
図４（Ｂ）に示す敷設材入り袋２，３，４は、実施形態１の敷設材入り袋１と同様、糸又は紐による縫合部ｂ２，ｂ３，ｂ４を有している。
【００７５】
図４（Ｃ）に示す敷設材入り袋２，３，４は、砂利Ｓを収納（投入）するための投入口ｃ２，ｃ３，ｃ４が、それぞれの角部に配置されている。
【００７６】
これに対し、図４（Ｄ）に示す敷設材入り袋２，３，４では、砂利Ｓを収納（投入）するための投入口ｄ２，ｄ３，ｄ４が、１つの辺の中央に配置されている。
【００７７】
図４（Ｅ），（Ｆ）は、それぞれ投入口ｅ，ｆの拡大図を示している。
【００７８】
このうち、図４（Ｅ）に示す投入口ｅは、砂利Ｓを収納した後、縫合又は接着によって閉じるタイプのものである。一方、図４（Ｆ）に示す投入口ｆは、矢印方向から手で摘まむと開口し、手を離すと閉じるタイプのものである。
【００７９】
これら投入口ｅ，ｆは、図４（Ｃ），（Ｄ）に示す投入口ｃ２〜ｃ４，ｄ２〜ｄ４のいずれに対しても適用することができる。
【００８０】
図４（Ｇ）に示す敷設材入り袋２，３，４は、展開状態において、いずれも略正方形状となっている。なお、これは製袋が熱接着等によるものも、縫合によるものを同様である。
【００８１】
以上のように、敷設材入り袋２，３，４は、種々の要素（例えば、形状、製袋は熱接着か縫合か、投入口の位置、投入口の形態）を適宜に組み合わせて構成することが可能である。
【００８２】
図５（Ａ）〜（Ｄ）に示すように、敷設材入り袋２，３，４は、いずれも展開状態の防草シート２０，３０，４０が略正方形状となる。そして、例えば、１枚の防草シート２０ごとにその敷設材入り袋２に収納されていた砂利Ｓを均一に敷設する作業を、４枚の防草シート２０に対して同様に行うことにより、４枚の防草シート２０に対する砂利Ｓの厚さを同じに揃えることができる。なお、この点については、防草シート３０，４０についても同様である。
【符号の説明】
【００８３】
１        実施形態１の敷設材入り袋
２        実施形態２の敷設材入り袋
３        実施形態３の敷設材入り袋
４        実施形態４の敷設材入り袋
１Ａ，２Ａ，３Ａ，４Ａ    収納袋
１０，２０，３０，４０    防草シート
１１      折り部
Ｇ        地面
Ｓ        砂利（敷設材）
【図１】
0003227083.tif 000003
【図２】
0003227083.tif 000004
【図３】
0003227083.tif 000005
【図４】
0003227083.tif 000006
【図５】
0003227083.tif 000007
【手続補正書】
【提出日】令和2年4月23日(2020.4.23)
【手続補正１】
【補正対象書類名】実用新案登録請求の範囲
【補正対象項目名】全文
【補正方法】変更
【補正の内容】
【実用新案登録請求の範囲】
【請求項１】
地面に敷かれて表面に敷設材が敷設される防草シートによって製袋された収納袋と、
前記収納袋に収納された前記敷設材と、を備え、
前記収納袋は、前記敷設材が取り出された後、平面状に展開された展開状態で前記防草シートとして使用される、
ことを特徴とする敷設材入り袋。
【請求項２】
展開状態の前記防草シートは、前記収納袋に収納された前記敷設材が過不足なく均一に敷設されたときに、前記敷設材の厚さが所定の厚さになる大きさである、
ことを特徴とする請求項１に記載の敷設材入り袋。
【請求項３】
展開状態の前記防草シートは、略長方形状又は略正方形状である、
ことを特徴とする請求項１又２に記載の敷設材入り袋。
【請求項４】
前記収納袋は、展開状態において略長方形状又は略正方形状の前記防草シートを略長方形状又は略正方形状に２つ折りし、折り部以外の３辺を縫合することによって製袋されている、
ことを特徴とする請求項３に記載の敷設材入り袋。
【手続補正２】
【補正対象書類名】明細書
【補正対象項目名】００１１
【補正方法】変更
【補正の内容】
【００１１】
請求項１に係る考案は、敷設材入り袋において、地面に敷かれて表面に敷設材が敷設される防草シートによって製袋された収納袋と、前記収納袋に収納された前記敷設材と、を備え、前記収納袋は、前記敷設材が取り出された後、平面状に展開された展開状態で前記防草シートとして使用される、ことを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項２に係る考案は、請求項１に係る敷設材入り袋において、展開状態の前記防草シートは、前記収納袋に収納された前記敷設材が過不足なく均一に敷設されたときに、前記敷設材の厚さが所定の厚さになる大きさである、ことを特徴とする。
【手続補正５】
【補正対象書類名】明細書
【補正対象項目名】００１４
【補正方法】変更
【補正の内容】
【００１４】
請求項３に係る考案は、請求項１又は２に係る敷設材入り袋において、展開状態の前記防草シートは、略長方形状又は略正方形状である、ことを特徴とする。
【手続補正６】
【補正対象書類名】明細書
【補正対象項目名】００１５
【補正方法】変更
【補正の内容】
【００１５】
請求項４に係る考案は、請求項３に係る敷設材入り袋において、前記収納袋は、展開状態において略長方形状又は略正方形状の前記防草シートを略長方形状又は略正方形状に２つ折りし、折り部以外の３辺を縫合することによって製袋されている、ことを特徴とする。
【手続補正７】
【補正対象書類名】明細書
【補正対象項目名】００２０
【補正方法】変更
【補正の内容】
【００２０】
また、収納袋は、敷設材が取り出された後、平面状に展開された展開状態で防草シートとして使用される。
【手続補正８】
【補正対象書類名】明細書
【補正対象項目名】００２２
【補正方法】変更
【補正の内容】
【００２２】
請求項２の考案によれば、展開状態の防草シートは、収納袋に収納された敷設材が過不足なく均一に敷設されたときに、敷設材の厚さが所定の厚さになる大きさであるので、敷設後の敷設材は、防草シートの表面全体に過不足なく均一な厚さで敷設されるばかりでなく、表面全体を所定（所望）の厚さにすることができる。
【手続補正９】
【補正対象書類名】明細書
【補正対象項目名】００２３
【補正方法】変更
【補正の内容】
【００２３】
請求項３の考案によれば、展開状態の防草シートは、略長方形状又は略正方形状であるので、隣接する防草シート間に不要な間隙ができにくい。
【手続補正１０】
【補正対象書類名】明細書
【補正対象項目名】００２４
【補正方法】変更
【補正の内容】
【００２４】
請求項４の考案によれば、収納袋は、展開状態において略長方形状又は略正方形状の防草シートを略長方形状又は略正方形状に２つ折りし、折り部以外の３辺を縫合することによって製袋されている。